(57)【要約】    【課題】  オプションカードの機能を容易に検知できるインバータ装置を提供する。    【解決手段】  オプションカード４０には制御基板３１からの基準直流電圧（＋１０）を分圧するための抵抗Ｒ１１，抵抗Ｒ１２と、分圧電圧のノイズ成分を除去するコンデンサＣ１１が備えられ、また、制御回路３１には入力抵抗Ｒ１とフィルタコンデンサＣ１を介してオプションカード４０の前記分圧値を読み込むアナログ／デジタル（Ａ／Ｄ）変換器３１ｂが備えられ、インバータ装置３０が通常の動作を開始する前に、前記分圧値を制御基板３１上に設けたアナログ／デジタル変換器３１ｂを介してマイクロコンピュータ３１ａに読み込むことにより、このインバータ装置３０に装着されたオプションカード４０の動作仕様を検知し、この検知した動作仕様に基づいて該インバータ装置３０が通常の動作を開始するようにしている。【選択図】        図２
2006352986.tif 000002
【特許請求の範囲】
【請求項１】
インバータ主回路，制御基板，操作パネルから形成され、前記制御基板上に搭載されたマイクロコンピュータの演算・制御動作により、前記操作パネルからの各種の設定値，指令値に基づいて、前記インバータ主回路が直流電力を所望の周波数・電圧の交流電力に変換して出力するインバータ装置において、
それぞれのオプションカードに基準直流電圧を互いに異なった分圧値に設定して出力する分圧回路を設け、
前記インバータ装置が通常の動作を開始する前に、前記分圧値を前記制御基板上に設けたアナログ／デジタル変換器を介して前記マイクロコンピュータに読み込むことにより、このインバータ装置に装着されたオプションカードの有無あるいは動作仕様を検知することを特徴とするインバータ装置。
【請求項２】
請求項１に記載のインバータ装置において、
前記装着されたオプションカードに新たなオプションが装着されたときに、互いに異なった分圧値に設定することを特徴とするインバータ装置。
【請求項３】
請求項１または請求項２に記載のインバータ装置において、
前記検知されたオプションカードの動作仕様が、前記操作パネルからの各種の設定値，指令値に基づいて得られる動作仕様とは異なるときには、該操作パネルを介して外部に表示することを特徴とするインバータ装置。
【発明の詳細な説明】
【技術分野】
【０００１】
この発明はインバータ主回路，制御基板，操作パネルから形成されるインバータ装置に関する。
【背景技術】
【０００２】
図４は、下記特許文献１の回路構成を含むこの種のインバータ装置の従来例を示す回路構成図であり、このインバータ装置１０には、商用電源などの交流電源１の交流電圧はダイオードをブリッジ接続してなる整流回路にて整流され、この整流電圧を平滑コンデンサにより平滑して得られた直流電圧を、自己消弧形半導体素子としての、例えば、ＩＧＢＴとダイオードとの逆並列回路をブリッジ接続してなる逆変換回路により所望の周波数・電圧の交流電圧に変換して交流電動機などの負荷２に供給するインバータ主回路１１と、操作パネル１３の操作により生成される設定値，指令値それぞれとオプションカード２０，２１，・・・うちのいずれからの各種の設定値，指令値とに基づいて、インバータ主回路１１が所望の周波数・電圧の前記交流電圧を発生させるための制御・演算動作を行う制御基板１２とを備え、この制御・演算動作は制御基板１２上には搭載されたマイクロコンピュータが行うようにしている。
【０００３】
上述のオプションカード２０，２１，・・・としては、前記インバータ装置の動作状態をリレー接点信号で出力するリレー出力回路、前記交流電動機に連結されたパルスエンコーダからのフィードバック信号により該電動機に対して高応答トルクベクトル制御を行わせるＰＧフィードバック回路、バイナリコードにより前記周波数の設定などを行わせるデジタルインタフェースカード、前記電動機のトルク制限値などをアナログ設定するアナログインタフェースカード、ＲＳ４８５規格のシリアル信号により前記周波数の設定などを行わせるＴリンクカードなどがある。
【特許文献１】特開平１１−１２２９７４号公報
【発明の開示】
【発明が解決しようとする課題】
【０００４】
図４に示した従来のインバータ装置においては、顧客が該インバータ装置の用途に基づいてオプションカード２０，２１，・・・うちのいずれかを使い分けることが行われており、採用するオプションカードをこのインバータ装置に装着すると共に、予め、その顧客が操作パネル１３の操作により装着したオプションカードを制御基板１２に設定していた。
【０００５】
しかしながら、前記顧客の不慣れなどに起因して操作パネル１３の操作を間違えたり、間違ったオプションカードが装着されたりし、その結果、このインバータ装置の誤動作や破損などを招く恐れがあった。
【０００６】
この発明の目的は、上記問題点を解消したインバータ装置を提供することにある。
【課題を解決するための手段】
【０００７】
この第１の発明はインバータ主回路，制御基板，操作パネルから形成され、前記制御基板上に搭載されたマイクロコンピュータの演算・制御動作により、前記操作パネルからの各種の設定値，指令値に基づいて、前記インバータ主回路が直流電力を所望の周波数・電圧の交流電力に変換して出力するインバータ装置において、
それぞれのオプションカードに基準直流電圧を互いに異なった分圧値に設定して出力する分圧回路を設け、前記インバータ装置が通常の動作を開始する前に、前記分圧値を前記制御基板上に設けたアナログ／デジタル変換器を介して前記マイクロコンピュータに読み込むことにより、このインバータ装置に装着されたオプションカードの有無あるいは動作仕様を検知することを特徴とする。
【０００８】
また、第２の発明は前記第１の発明のインバータ装置において、
前記装着されたオプションカードに新たなオプションが装着されたときに、互いに異なった分圧値に設定することを特徴とする。
【０００９】
さらに、第３の発明は前記第１または第２の発明のインバータ装置において、
前記検知されたオプションカードの動作仕様が、前記操作パネルからの各種の設定値，指令値に基づいて得られる動作仕様とは異なるときには、該操作パネルを介して外部に表示することを特徴とする。
【発明の効果】
【００１０】
この発明によれば、汎用的なインバータ装置に装着されるオプションカードは高々１０種類程度であることに着目し、従来のオプションカードに回路構成が簡単な分圧回路を付加し、この分圧回路の分圧値を制御基板により識別することにより、先述の誤挿入や誤設定による該インバータ装置の誤動作や破損などを防ぐことができる。また、このとき、制御基板に必要なアナログ／デジタル変換器は従来から搭載されているものを流用することが容易である。
【発明を実施するための最良の形態】
【００１１】
図１は、この発明の実施の形態を示すインバータ装置の回路構成図であり、この図において、図４に示した従来例構成と同一機能を有するものには同一符号を付している。
【００１２】
すなわち、図１に示したインバータ装置３０には従来のインバータ装置１０における制御基板１２，オプションカード２０，２１，・・・それぞれが制御基板３１，オプションカード４０，４１，・・・に置き換わっている。
【００１３】
図２は、この発明の第１の実施例を示すインバータ装置３０の部分詳細回路構成図であり、この図では、制御基板３１，オプションカード４０対して、従来の回路構成の制御基板１２，オプションカード２０に付加された部分のみを記載している。
【００１４】
すなわち、オプションカード４０には制御基板３１からの基準直流電圧（＋１０）を分圧するための抵抗Ｒ１１，抵抗Ｒ１２と、分圧電圧のノイズ成分を除去するコンデンサＣ１１が備えられている。ここで、抵抗Ｒ１１，抵抗Ｒ１２は各種のオプションカード毎にそれぞれ異なった分圧値になるようにしておく。また、制御基板３１には入力抵抗Ｒ１とフィルタコンデンサＣ１を介してオプションカード４０の前記分圧値を読み込むアナログ／デジタル（Ａ／Ｄ）変換器３１ｂが備えられている。なお、このＡ／Ｄ変換器３１ｂは従来の制御基板１２に備えているものを兼用することが容易である。さらに、マイクロコンピュータ３１ａには各種オプションカードに対応した分圧値が記憶されている。
【００１５】
従って、インバータ装置３０が通常の動作を開始する前に、前記分圧値を制御基板３１上に設けたアナログ／デジタル変換器３１ｂを介してマイクロコンピュータ３１ａに読み込み、マイクロコンピュータ３１ａに記憶されている分圧値と比較することにより、このインバータ装置３０に装着されたオプションカード４０の動作仕様を検知する。その後、この検知した動作仕様に基づいて該インバータ装置３０が通常の動作を開始するようにしている。
【００１６】
このとき、検知されたオプションカード４０の動作仕様が、操作パネル１３からの指令値に基づいて得られる動作仕様とは異なるときには、操作パネル１３を介して外部に表示することが行われる。
【００１７】
図３は、この発明の第２の実施例を示すインバータ装置３０の部分回路詳細構成図であり、この図では、制御基板３１，オプションカード４１，４２ａ対して、従来の回路構成の制御基板１２，オプションカード２２，２２ａに付加された部分のみを記載している。
【００１８】
すなわち、このオプションカード４２には制御基板３１からの基準直流電圧（＋１０）を分圧するための抵抗Ｒ１３，抵抗Ｒ１４と、分圧電圧のノイズ成分を除去するコンデンサＣ１２が備えられ、また、オプションカード４２の機能を拡張するときに、オプションカード４０と同時に装着されるオプションカード４２ａには、抵抗Ｒ２１とノイズ成分を除去するコンデンサＣ２１が備えられている。
【００１９】
従って、インバータ装置３０が通常の動作を開始する前に、前記分圧値を制御基板３１上に設けたアナログ／デジタル変換器３１ｂを介してマイクロコンピュータ３１ａに読み込むことにより、このインバータ装置３０に装着されたオプションカード４２の動作仕様を検知し、さらに、オプションカード４２のみの装着のときより所定の値（例えば、１０〜１５％程度）低い分圧値からオプションカード４２ａも装着されていることを検知し、この検知した動作仕様に基づいて該インバータ装置３０が通常の動作を開始するようにしている。ここで、オプションカード４２にオプションカード４２ａを装着したときの分圧値は、オプションカード４２以外のオプションカードの分圧値と異なる値に設定しておくことで、他のオプションカードとの区別も可能である。
【００２０】
すなわち、汎用的なインバータ装置に装着されるオプションカードは高々１０種類程度であることから、図２，図３の実施例回路において、抵抗Ｒ１１，Ｒ１２，Ｒ１３，Ｒ１４，Ｒ２１それぞれの値を簡単に選定することにより、オプションカード４０，４１，・・・のいずれかを制御基板３１で容易に検知することができる。
【図面の簡単な説明】
【００２１】
【図１】この発明の実施の形態を示すインバータ装置の回路構成図
【図２】この発明の第１の実施例を示す図１の部分詳細回路構成図
【図３】この発明の第２の実施例を示す図１の部分詳細回路構成図
【図４】従来例を示すインバータ装置の回路構成図
【符号の説明】
【００２２】
１…交流電源、２…負荷、１０，３０…インバータ装置、１１…インバータ主回路、１２，３１…制御基板、１３…操作パネル、２０，２１，・・・…オプションカード、４０，４１，・・・…オプションカード。
【図１】
2006352986.tif 000003
【図２】
2006352986.tif 000004
【図３】
2006352986.tif 000005
【図４】
2006352986.tif 000006